(57)【特許請求の範囲】
【請求項１】
可動パネルを備えた吸込部と、可動ルーバを備えた吹出部とを筺体面を挟んで上下に配置した室内機を備えた空気調和機において、
前記可動パネルは、パネル開閉機構部を介して、前記吸込部の下端部に設けたパネル回転軸を中心に、揺動可能に取り付けられ、
前記可動ルーバは、ルーバ駆動機構部を介して、前記パネル回転軸の下方に設けられるルーバ回転軸を中心に揺動可能に取り付けられ、
前記パネル開閉機構部は、運転状態では前記吸込部を開放するように可動パネルを動作させ、かつ、運転停止状態では前記吸込部を隠蔽するように動作させ、
前記可動パネルの下端部と前記筺体面の上端部は、前記揺動にともなって生じる隙間を前記運転状態で隠蔽し、かつ、前記可動パネルの表面及び前記筐体面の表面は連続する平面を形成するように設定され、
前記ルーバ駆動機構部は、運転状態では前記吹出部を開放するように可動ルーバを動作させ、かつ、運転停止状態では前記吹出部と前記筺体面を隠蔽するように、前記筺体面の前方に可動ルーバを位置させる
ことを特徴とする空気調和機。
【請求項２】
前記請求項１記載の空気調和機において、
運転停止状態において、前記筺体面の前方に収納される前記可動ルーバ位置は前記隙間の前方に位置させる
ことを特徴とする空気調和機
【請求項３】
前記請求項１または２記載の空気調和機において、
前記可動ルーバは、運転停止状態で前面となる表面に透明な装飾部材を備えている
ことを特徴とする空気調和機。
【請求項４】
前記請求項１または２記載の空気調和機において、
前記可動ルーバは、筺体の横幅と一致する横幅を備えて
ことを特徴とする空気調和機。
【発明の詳細な説明】
【技術分野】
【０００１】
本発明は、屋外に設置される室外機と、屋内の壁面に設置される室内機とを冷媒配管で接続するセパレート型の空気調和機に関するものであり、特に、運転時には開放し、停止時には閉じる可動パネルを室内機の前面に設けた空気調和機に関するものである。
【背景技術】
【０００２】
一般家庭に普及している冷凍サイクルを利用した空気調和機は、圧縮機を備えて屋外に設置される室外機と、送風ユニットを備えて室内の壁面に設置される室内機とを冷媒配管で接続したセパレート型のものが主流である。この室内機は、その筺体の内部に環流ファンと、この環流ファンを包むように折り曲げて形成される熱交換器を備えている。そして、これら従来例の室内機は、環流ファンを駆動させることにより、筺体の上方に設けた吸込部から吸い込んだ室内空気を、前記熱交換器を介して、温風または冷風に熱交換し、この室内空気を筺体下部に設けた吹出部から吹き出す構造を備えている。
【０００３】
前記従来例の可動パネル４１の開閉構造を図５に示す。図５において、従来の可動パネル４１は、図示しない開閉機構部を介して、この可動パネル４１の下端部に設けた回転軸４２を中心に、その上部を揺動する構造となっている。この構造によれば、（ｂ）図に示す運転状態では、この可動パネル４１を開放して吸込部４０の面積を拡張し、（ａ）図に示す停止時状態では、この可動パネルを閉鎖して正面の吸込部４０をフラットな平滑面で構成することができる。そして、これら従来例は、吹出部に化粧パネルを兼用する吹出ルーバを設けているので、運転停止時には、この吹出部と吸込部を吹出ルーバと可動パネルで覆うことができるので、運転時の運転効率を向上しつつ、運転停止時には室内のインテリアに融合する構造を採用している。
【先行技術文献】
【特許文献】
【０００４】
【特許文献１】特開２００９−７９８４６号公報
【特許文献２】特開２０１０−５４１４３号公報
【発明の概要】
【発明が解決しようとする課題】
【０００５】
前記従来例によれば、運転状態に応じて可動パネル４１を開閉するので、運転時には開口率の大きい運転が可能であり、また、停止時には、室内機をフラットな平滑面で覆った室内インテリアに融合したデザインとすることができる。
【０００６】
しかし、従来構造では、回転軸４２を固定軸としているため、図５の（ａ）図に示す停止状態では、吸込部４０の周囲の筺体面１６と、可動パネル４１の前面とを連続させたフラット面とすることにより意匠性を向上できるものの、（ｂ）図に示す運転状態では、回転軸４２の周囲に隙間Ｑ（凹凸）が生じてしまうという課題がある。この課題は、運転状態で筺体面１６と可動パネル４１をフラットに連続させれば、逆に、停止状態で回転軸４２の周囲に隙間Ｑ（凹凸）が生じてしまう。
【０００７】
したがって、この課題は、可動パネル４１を採用する以上、発生するものであるが、インテリア性をより追求した意匠性を重視する室内機のデザインにおいては大きな課題となっている。
【０００８】
そこで、この発明の目的は、可動パネルの開閉に伴って回転軸の近傍に生じる凹凸を目立たなくした空気調和機を提供することにある。
【課題を解決するための手段】
【０００９】
本発明に係る空気調和機では、前記目的を達成するために、可動パネルを備えた吸込部と、可動ルーバを備えた吹出部とを筺体面を挟んで上下に配置した室内機を備えた空気調和機において、前記可動パネルは、パネル開閉機構部を介して、前記吸込部の下端部に設けたパネル回転軸を中心に、揺動可能に取り付けられ、前記可動ルーバは、ルーバ駆動機構部を介して、前記パネル回転軸の下方に設けられるルーバ回転軸を中心に揺動可能に取り付けられ、前記パネル開閉機構部は、運転状態では前記吸込部を開放するように可動パネルを動作させ、かつ、運転停止状態では前記吸込部を隠蔽するように動作させ、前記可動パネルの下端部と前記筺体面の上端部は、前記揺動にともなって生じる隙間を前記運転状態で隠蔽し、かつ、前記可動パネルの表面及び前記筐体面の表面は連続する平面を形成するように設定され、前記ルーバ駆動機構部は、運転状態では前記吹出部を開放するように可動ルーバを動作させ、かつ、運転停止状態では前記吹出部と前記筺体面を隠蔽するように、前記前記筺体面の前方に可動ルーバを位置させるように動作させる。
【発明の効果】
【００１０】
本発明によれば、可動パネルの揺動に伴って生じるパネル回転軸近傍の隙間を、筺体面が露出する運転状態では塞いで運転時の意匠性を向上させる一方、停止時には、可動パネルの閉鎖にともなって生じるパネル回転軸近傍の隙間を可動ルーバで隠蔽することができるから、可動パネルの開閉に伴って回転軸の近傍に生じる凹凸を目立たなくすることができる。
【図面の簡単な説明】
【００１１】
【図１】この発明に係る空気調和機の室内機の概略説明図である。
【図２】この発明に係る空気調和機の室内機の外観図である。
【図３】この発明に係る空気調和機の可動ルーバの外観図である。
【図４】この発明に係る空気調和機の室内機の動作状態を示す断面図である。
【図５】従来の空気調和機に係る室内機の可動ルーバの動作説明図である。
【発明を実施するための形態】
【００１２】
以下、図１から図４を参照して、この発明に係る空気調和機に係る室内機を具体的に説明する。ここで、図１は、この発明に係る空気調和機の室内機の概略説明図であり、（ａ）図が運転動作時の外観斜視図、（ｂ）図は運転停止時の要部縦側面図、（ｃ）図が運転時の縦断面図である。図２は、この発明に係る空気調和機の室内機の外観図であり、（ａ）図が正面図、（ｂ）図が運転停止時の右側面図、（ｃ）図がフロントパネルを開放した状態の右側面図、（ｄ）図が運転停止時の斜視図である。図３は、この発明に係る空気調和機の可動ルーバの外観図であり、（ａ）図が正面図、（ｂ）図が側面図である。図４は、この発明に係る空気調和機の室内機の動作状態を示す断面図であり、（ａ）図が運転停止時の要部縦断面図、（ｂ）図が運転時の要部縦断面図である。
【００１３】
先ず、図１を参照して、この実施例に係る空気調和機の概略構造を説明する。図１において、この実施例に係る空気調和機は、圧縮機を備えて屋外に設置される図示しない室外機と、送風ファンを備えて室内の壁面に取り付けられる室内機１とを図示しない冷媒配管を介して接続することで、室内機１による冷暖房を可能にするものである。
【００１４】
この室内機１は、奥行寸法より高さ寸法が大きく、この高さ寸法より横幅寸法が大きい横長の筺体１０を備えている。この筺体１０は、筺体１０の上面に形成される上部吸込部２０と、筺体１０の前面上部に形成される前部吸込部４０とから取り込んだ空気を筺体１０の下面の前部に形成される吹出部６０から吹き出す空気流路１３が内部に形成されている。そして、この空気流路１３の中央に位置するように、その長手方向をこの筺体１０の長手方向と一致するように配置される環流フアン１１と、この環流フアン１１の前方と上部を覆うように配置される熱交換器１２とが内蔵されている。
【００１５】
即ち、（ｃ）図に示すように、筺体１０のほぼ中央に配置される環流フアン１１の前後には、前部ドレン皿１４と、後部ドレン皿１５が設けられ、この前部ドレン皿１４と後部ドレン皿１５を跨いで環流フアン１１の上部を覆うように熱交換器１２が配置されている。
【００１６】
また、この実施例の室内空気の取り入れ口は、常に開放して設けられる上部吸込部２０と、可動パネル４１が開閉可能に設けられる前部吸込部４０とから構成される。この実施例では、（ｃ）図に示すように、断面形状がほぼ四角形の形状を備えているので、上部吸込部２０は、ほぼ水平な上面に設けられ、前部吸込部４０は、ほぼ垂直な筺体前面の上部３／５程度の大きさをもって形成される。そして、この実施例では、筺体前面の上部に形成される前部吸込部４０を、可動パネル４１を介して、開閉する構造を備えている。
【００１７】
また、可動パネル４１は、板状の部材で形成され、その下端部はパネル回転軸４２を介して回転可能に取り付けられ、その上部は、筺体１０内に設けられるパネル駆動機構部４３と接続されている。この構造によれば、パネル駆動機構部４３を動作させることにより、可動パネル４１を、パネル回転軸４２を中心に、その上部を揺動させることができるから、（ｂ）図に示すように前部吸込部４０を閉鎖させた状態と、（ｃ）図に示すように前部吸込部４０を開放させた状態を取らせることができる。
【００１８】
また、（ｃ）図に示すように、吹出部６０は、環流フアン１１から吹き出される空気を前方に吹き出せるように、環流フアン１１と前部ドレン皿１４の下方を大きく開放するように、筺体１０の長手方向に沿って形成される。この吹出部６０には、前部可動ルーバ６２と後部可動ルーバ６３とからなる可動ルーバ６１が設けられている。この可動ルーバ６１は、図示しないルーバ駆動機構部を介して、（ｂ）図に示すように、吹出部６０を封鎖した状態と、（ｃ）図に示すように、吹出部６０を開放して空気流を所定の方向に案内するように所定の角度に動作させることができる。
【００１９】
この実施例では、環流フアン１１やパネル駆動機構部４３及びルーバ駆動機構部などは、筺体１０内に設けられる図示しない制御部によって統括制御され、また、この制御部は図示しない遠隔操作装置によって操作指示を受け付けることができる。
【００２０】
そして、この実施例に係る制御部は、運転停止状態では、（ｂ）図に示すように、可動パネル４１と可動ルーバ６１を封鎖して、前部吸込部４０と吹出部６０を隠蔽するように制御し、運転状態では、（ｃ）図に示すように、可動パネル４１と可動ルーバ６１を開放するように制御する。したがって、この実施例の運転状態では、環流フアン１１を動作させることにより、上部吸込部２０と大きく開放した前部吸込部４０から室内空気を取り込んで、熱交換器１２を介して温風または冷風あるいは除湿を行い、この熱交換された室内空気を運転モードに対応して所定角度に開放した可動ルーバ６１に従って吹き出すことができる。
【００２１】
そして、この実施例に係る空気調和機１の大きな特徴の１つは、吹出部６０に設けられる前部可動ルーバ６２を閉鎖した状態において、可動パネル４１を備えた前部吸込部４０と、前部可動ルーバ６２を備えた吹出部６０との間に形成される筺体面１６を隠蔽するように、前部可動ルーバ６２を筺体面１６の前方に収納した点にある。
【００２２】
即ち、従来の吹出部６０に設けられる可動ルーバ６１は、前部可動ルーバ６２と後部可動ルーバ６３を備えているものの、この一対の可動ルーバ６１は、閉鎖状態で、吹出部６０を覆う構造としている。しかも、閉鎖状態の可動ルーバ６１は吹出部６０の周囲の筺体面と凹凸なく連続するように面一とするのが一般的である。また、他の従来例には、吹出部６０を前部吸込部４０の下端部まで延長し、この凹状の吹出部６０の内部壁面に人体センサを設けて、可動ルーバ６１の閉鎖時に、この人体センサを備えた内部壁面を可動ルーバ６１で覆う構造としたものが知られている。しかし、人体センサを備えた内部壁面は開口した凹状の吹出部６０に連続して形成されるものであり、従来の技術思想の範囲内である。しかも、人体センサを備えた内部壁面を閉鎖状態で隠蔽する可動ルーバ６１は、吹出部６０の周囲の筺体面と凹凸なく連続するように面一とする従来の一般的な構造を採用している。
【００２３】
一方、可動ルーバ６１は奥行き方向に大きくすると、吹出部６０から吹き出される空気流を遠くへ送風することができるが、可動ルーバ６１を大きくすると、運転停止時の収納場所に課題が残る。また、一方、下端部をパネル回転軸４２とする可動ルーバ６１は、その構造上、この可動ルーバ６１の揺動に伴うパネル回転軸４２近傍の隙間が生じてしまうため、意匠的な課題が残る。つまり、パネル回転軸４２近傍の隙間は、閉鎖状態と開放状態のどちらか一方をなくすようにすると他方に隙間が生じてしまう。
【００２４】
そこで、この発明者らは、可動パネル４１を備えた前部吸込部４０と、前部可動ルーバ６２を備えた吹出部６０との間に形成される筺体面１６の前部を、この筺体面１６を覆う大きさを備えた前部可動ルーバ６２の収納スペースとすることを着想した。
【００２５】
筺体面１６は、前部ドレン皿１４の前部に位置するため、吸込部とするには不向きなスペースであり、この機能上デッドスペースとなる筺体面１６の前部に、大きな前部可動ルーバ６２を収納することができる。更に、このスペースを覆う大きな前部可動ルーバ６２を重ねるように収納すれば、この筺体面１６に隣接するパネル回転軸４２の近傍に隙間Ｑが存在しても、前部可動ルーバ６２の存在により目立たなくすることができる。
【００２６】
また、この実施例に係る空気調和機１の大きな特徴の他の１つは、可動パネル４１を開放した状態で、可動パネル４１の下端部と筺体面１６の上端部との間を連続した形状に設定し、可動パネル４１を閉鎖した状態で、この可動パネル４１の揺動にともなって生じる隙間が生じるように設定した点にある。
【００２７】
前記したように、この実施例では、前記第１の特徴を備えることにより、可動パネル４１を閉鎖した状態ではパネル回転軸４２近傍が目立たなくなるので、この目立たない可動パネル４１の閉鎖状態で、揺動にともなって生じる隙間を生じさせることにより、パネル回転軸４２近傍が露出する可動パネル４１を開放した状態でのパネル回転軸４２近傍の整合性を向上させることができる。
【００２８】
また、この実施例に係る空気調和機１の大きな特徴の他の１つは、前部可動ルーバ６２に飾り部材６６を設けた点にある。
【００２９】
即ち、この実施例では、前記第１の特徴を備えることにより、運転停止状態において、前部可動ルーバ６２が筺体１０の最も目立つ位置に収納されることとなる。従来の可動ルーバ６１も閉鎖状態では吹出部６０の覆う構造であるため意匠性が高い表面仕上げや造形面を工夫している。しかし、この実施例では、従来の可動ルーバ６１よりもより目立つ存在であるため、閉鎖状態で正面を構成する表面に飾り部材６６を設けるようにしている。この実施例では、飾り部材６６を板状の透明素材で構成することで、意匠性をより向上させている。
【００３０】
以下、図１から図４を参照して、更に詳細に説明する。
【００３１】
先ず、図１から図３を参照して、室内機１の詳細構造を更に説明する。この実施例の筺体１０は、筺体１０の背面側を構成するバックカバー１００と、このバックカバー１００の前部に取り付けられるフロントカバー１１０と、前部吸込部４０を構成する吸込カバー１２０とを含んで構成される。図２に示すように、筺体１０の外観形状は、（ａ）図の正面図から見てほぼ横長四角形であり、また、（ｂ）図の側面図から見てもほぼ四角形の横長の箱形形状を基調としている。
【００３２】
バックカバー１００は、筺体１０内に配置される環流フアン１１や熱交換器１２などの基本部品が取り付けられ、このバックカバー１００の前部をフロントカバー１１０で覆うことで室内機１の骨格を構成する。これにより、フロントカバー１１０の上面には、上部吸込部２０が形成され、フロントカバー１１０の下部には吹出部６０が形成される。
【００３３】
一方、吸込カバー１２０は、前部吸込部４０を構成するものであり、図１（ｃ）図に示す回転軸１２１を介して、その上端をフロントカバー１１０に回転可能に取り付けられる吸込フレーム１２２と、この吸込フレーム１２２の下端部にパネル回転軸４２を介して回転可能に取り付けられる可動パネル４１とから構成している。図２に示すように、吸込フレーム１２２の両側と上部は、前方に向かって傾斜した傾斜面１２４が形成されることで、可動パネル４１の周囲がツバ状に張り出す造形処理としているのでで、筺体１０の薄型感を創出するようにしている。
【００３４】
この実施例の吸込カバー１２０は、図２の（ｃ）図に示すように、吸込フレーム１２２の両側の下部の傾斜面１２４に設けたロックスイッチ１２３を操作することにより、上部の回転軸１２１を中心に、その下部を揺動して開閉することができる。この開閉機構により、前部吸込部４０と上部吸込部２０を覆う図示しない集塵フィルタの着脱を可能としている。しかも、ロックスイッチ１２３は、傾斜面１２４の凹状の傾斜を利用して、両側に大きく突出することなく、押下するストロークを確保しているので、誤操作を軽減しつつ、傾斜面１２４と同化させて意匠性を向上させている。
【００３５】
また、図１と図２に示すように、この筺体１０の正面の上下部は、後方に傾斜して形成される。これにより、筺体１０の全体のボリュームを軽減して、コンパクトな外観を実現している。特に、この実施例では、可動パネル４１の上端を揺動させる構造としているので、図１に示すように、可動パネル４１を開放した状態で、可動パネル４１の上端の圧迫感を軽減することができる。
【００３６】
さて、この実施例では、前部可動ルーバ６２の構造と形状が大きな特徴となっている。この前部可動ルーバ６２の外観形状を図３に示す。図３において、この実施例では、やや湾曲して形成される前部可動ルーバ６２のルーバ本体６７を、不透明な骨格ベース６８と、透明な飾り部材６６で構成している。従来構造では、ルーバ本体６７を樹脂の一体成型部で構成しているが、この実施例のルーバ本体６９では、骨格ベース６８と飾り部材６６とを張り合わせた構造としている。これにより、水滴などを防ぐ植毛や強度部材のリブなどを骨格ベース６８に設けても透明な飾り部材６６に影響を与えるのを軽減することができる。そして、骨格ベース６８と別部材の飾り部材６６とを組み合わせることで、材質感の違が表現できるのに加えて、裏面印刷や裏面凹凸模様などの意匠性を高める造形処理を可能としている。
【００３７】
また、この実施例では、透明な飾り部材６６の周囲を骨格ベース６８の周囲からツバ状に張り出させることにより、風向機能の面積を確保しつつ、その大きさを目立たなくして、運転時の圧迫感を軽減している。
【００３８】
図１に戻り、前記したように、この実施例では、前部可動ルーバ６２と後部可動ルーバ６３からなる一対の可動ルーバ６１を吹出部６０に設けている。前部可動ルーバ６２は、吹出部６０の前方に配置される前部ルーバ回転軸６４を中心に回転可能に設けられ、後部可動ルーバ６３は、吹出部６０の後方に配置される後部ルーバ回転軸６５を中心に回転可能に設けられる。前部可動ルーバ６２の奥行き寸法ｄ１は後部可動ルーバ６３の奥行き寸法ｄ２より小さくし形成されている。後部可動ルーバ６３の奥行き寸法ｄ２は、後部可動ルーバ６３を閉鎖した状態で前部ルーバ回転軸６４（前部可動ルーバ６２の後端部）までを覆う大きさを備え、前部可動ルーバ６２の奥行き寸法ｄ１は、前部可動ルーバ６２を閉じた状態で、前部吸込部４０と吹出部６０との間に形成される筺体面１６を覆う大きさを備えている。
【００３９】
また、前部可動ルーバ６２の横幅ｗ１は、後部可動ルーバ６３の横幅ｗ２より大きく設定されている。この実施例の後部可動ルーバ６３は、吹出部６０から吹き出される空気流のガイドの機能と、吹出部６０を閉鎖時に隠蔽する機能を備えている。このため、後部可動ルーバ６３の横幅ｗ１は、吹出部６０の前部を覆うことができる大きさに設定している。
【００４０】
一方、この実施例の前部可動ルーバ６２は、吹出部６０から吹き出される空気流のガイドの機能と、可動パネル４１のパネル回転軸４２近傍を目立たなくする化粧部材の機能を備えている。図２に示すように、この実施例の可動パネル４１は、正面を上下に分割するように、正面の上部全体を覆う構造としているため、パネル回転軸４２近傍の隙間Ｑは、筺体１０の横幅一杯まで生じる。
【００４１】
そこで、この実施例では、前部可動ルーバ６２の横幅ｗ１を、可動パネル４１の下部に隣接して形成される筺体面１６を覆う大きさ、即ち、筺体１０の横幅とほぼ同じ大きさに設定している。
【００４２】
ここで、この実施例では、筺体面１６の片側に、図示しない遠隔操作機との間で操作信号を送受信する信号送受信窓１７が設けられている。このため、前部可動ルーバ６２の片側には、閉鎖時にこの信号送受信窓１７を露出させる開口部６７（または透明な窓）を設けている。
【００４３】
次に、図１と図４を参照して、この実施例に係る空気調和機の動作方法を説明する。前記したように、この実施例に係る空気調和機は、筺体１０に設けた図示しない制御部により各種の装置が統括制御される。
【００４４】
先ず、制御部は、運転停止状態においては、パネル駆動機構部４３と図示しないルーバ駆動機構部を動作させて、図４（ａ）図に示すように、可動パネル４１と可動ルーバ６１を閉鎖状態とする。
【００４５】
即ち、可動パネル４１は、パネル回転軸４２を中心に前部吸込部４０を封鎖するように筺体１０の前部に折りたたまれて収納されている。この際、可動パネル４１の下端部と、筺体面１６の上端部との間には、可動パネル４１の揺動にともなって生じる隙間Ｑ１が生じるように設定されている。
【００４６】
一方、前部可動ルーバ６２は、前部ルーバ回転軸６４を中心に、筺体面１６を隠蔽するように、筺体面１６の前部に折りたたまれて収納される。ここで、室内機１は、壁面の上方に設置されるので、利用者の視線は、（ａ）図の矢印に示すように、室内機１を見上げることとなる。したがって、パネル回転軸４２近傍に生じる隙間Ｑ１は、筺体面１６の前方に収納される可動ルーバ６１の後方の位置となるので、可動ルーバ６１の存在により視認し難くなる。
【００４７】
特に、この実施例では、前部可動ルーバ６２の周囲に透明な飾り部材６６が張り出しているので、この透明な飾り部材６６を通して隙間Ｑ１が利用者に見られるので、隙間Ｑ１の存在が目立たなくなる。むしろ、飾り部材６６の意匠的効果により、その周囲の形態は、飾り部材６６の存在により目立たなくなる。
【００４８】
一方、制御部は、図示しない遠隔操作機からの運停止時を受け付けると、パネル駆動機構部４３と図示しないルーバ駆動機構部を動作させて、図４（ｂ）図に示すように、可動パネル４１と可動ルーバ６１を開放状態とする。
【００４９】
即ち、可動パネル４１は、パネル回転軸４２を中心に前部吸込部４０を開放するように、その上部を前方に開放する。この際、可動パネル４１の下端部と、筺体面１６の上端部との間に生じていた隙間Ｑ１を塞ぐように動作させる。そして、この実施例では、開放時の可動パネル４１の表面が筺体面１６の表面と連続する平面を形成するように設定している。
【００５０】
一方、前部可動ルーバ６２は、図４（ｂ）図に示すように、前部ルーバ回転軸６４を中心に、他端を開いて、あらかじめ設定されている運転モードに対応した角度まで開放する。
【００５１】
このように、この実施例の運転状態では、図１の（ａ）図に示すように、運転に伴う前部可動ルーバ６２の開放動作にともなって大きく露出する筺体面１６を、前方に開放した可動パネル４１の表面と連続する平面造形とすることができるので、壁面を主体とする室内空間に馴染ませることができる。しかも、この連続した平面は、可動パネル４１の上端を傾斜面とすることにより、圧迫感が軽減される。更にまた、前部可動ルーバ６２は、その大きなルーバ本体６９により、前方への風向制御が両側への風向制御が良好となる。
【００５２】
このように、この実施例に係る空気調和機は、可動パネルを備えた吸込部と、可動ルーバを備えた吹出部とを筺体面を挟んで上下に配置した室内機を備えたものであって、前記可動パネルは、パネル開閉機構部を介して、前記吸込部の下端部に設けたパネル回転軸を中心に、揺動可能に取り付けられ、前記可動ルーバは、ルーバ駆動機構部を介して、前記パネル回転軸の下方に設けられるルーバ回転軸を中心に揺動可能に取り付けられ、前記パネル開閉機構部は、運転状態では前記吸込部を開放するように可動パネルを動作させ、かつ、運転停止状態では前記吸込部を隠蔽するように動作させ、前記可動パネルの下端部と前記筺体面の上端部は、前記揺動にともなって生じる隙間を前記運転状態で隠蔽するように形成され、前記ルーバ駆動機構部は、運転状態では前記吹出部を開放するように可動ルーバを動作させ、かつ、運転停止状態では前記吹出部と前記筺体面を隠蔽するように、前記筺体面の前方に可動ルーバを位置させる。
【００５３】
この場合、前記可動ルーバは、運転停止状態で前面となる表面に透明な装飾部材を備えるようにするとよい。また、前記可動ルーバは、筺体の横幅と一致する横幅を備えるようにするとよい。
【００５４】
この実施例によれば、可動パネルの揺動に伴って生じるパネル回転軸近傍の隙間を、筺体面が露出する運転状態では塞いで運転時の意匠性を向上させる一方、停止時には、可動パネルの閉鎖にともなって生じるパネル回転軸近傍の隙間を可動ルーバで隠蔽することができるから、可動パネルの開閉に伴って回転軸の近傍に生じる凹凸を目立たなくすることができる。
【符号の説明】
【００５５】
１…室内機、１０…筺体、１１…環流フアン、１２…熱交換器、１３…空気流路、１４…前部ドレン皿、１５…後部ドレン皿、１６…筺体面、１７…信号送受信窓、２０…上部吸込部、４０…前部吸込部、４１…可動パネル、４２…パネル回転軸、４３…パネル駆動機構部、６０…吹出部、６１…可動ルーバ、６２…前部可動ルーバ、６３…後部可動ルーバ、６４…前部ルーバ回転軸、６５…後部ルーバ回転軸、６６…飾り部材、６７…開口部、６８…骨格ベース、６９…ルーバ本体、１００…バックカバー、１１０…フロントカバー、１２０…吸込カバー、１２１…回転軸、１２２…吸込フレーム、１２３…ロックスイッチ、１２４…傾斜面、Ｑ…隙間
【図１】
0005486985.tif 000002
【図２】
0005486985.tif 000003
【図３】
0005486985.tif 000004
【図４】
0005486985.tif 000005
【図５】
0005486985.tif 000006